(57)【要約】【課題】異なる種別のコンテンツのファイルが記録された記録媒体の再生する際の、ユーザの利便性を向上する「ＡＶシステム及び記録媒体再生方法」を提供する。【解決手段】再生制御部１０２は、オーディオ、ピクチャなどのコンテンツの種別毎の仮想ボリュームを生成し、各種別に対応する仮想ボリュームに、マウントされた記録媒体に記録されたファイルのうちの、対応する種別のファイルを含める。そして、仮想ボリュームを単位として、ファイルの再生処理を行う。また、ユーザに対しては、記録媒体のファイル情報として、仮想ボリューム毎にファイル情報を提示すると共に、当該提示上で再生ファイルの選択などを受け付ける。【選択図】図４
2005346834.tif 000002
【特許請求の範囲】
【請求項１】
記録媒体に記録されたファイルを再生するＡＶシステムであって、
コンテンツの種別毎の区分に、前記記録媒体に記録されている複数のファイルを、当該ファイルにデータが格納されているコンテンツの種別に応じて分類するファイル分類部と、
前記区分のいずれかを対象区分として選択的に設定する対象区分設定部と、
前記対象区分とされた分類について、当該区分に属するファイルを再生する再生処理を行うファイル再生処理部とを有することを特徴とするＡＶシステム。
【請求項２】
請求項１記載のＡＶシステムであって、
前記対象区分とされた区分について、当該区分に属するファイルの情報の一覧をユーザに提示するファイル情報提示部を有することを特徴とするＡＶシステム。
【請求項３】
請求項２記載のＡＶシステムであって、
前記ファイル情報提示部が提示した一覧上のファイルの情報に対する操作に応じて、操作されたファイルの情報に対応するファイルの操作を受け付けるファイル操作受付部を有することを特徴とするＡＶシステム。
【請求項４】
再生対象記録媒体に記録されたファイルを再生するＡＶシステムであって、
再生対象ボリュームに格納されているファイルを再生する再生処理を行うファイル再生処理部と、
コンテンツの種別毎に設けた複数の仮想的な記録媒体である仮想記録媒体であって、各々、前記再生対象記録媒体に記録されている各ファイルのうちの、当該仮想記録媒体に対応する種別のコンテンツのデータを格納したファイルを格納した仮想記録媒体を設定する仮想記録媒体生成部と、
前記仮想記録媒体のいずれかを前記再生対象ボリュームとして選択的に設定する再生対象ボリューム設定部とを有することを特徴とするＡＶシステム。
【請求項５】
請求項４記載のＡＶシステムであって、
前記各仮想記録媒体毎に、当該仮想記録媒体に格納されているファイルの情報の一覧をユーザに提示するファイル情報提示部を有することを特徴とするＡＶシステム。
【請求項６】
請求項５記載のＡＶシステムであって、
前記ファイル情報提示部は、各仮想記録媒体を各々単一の記録ボリュームとして表現した形態で、各仮想記録媒体に格納されているファイルの情報の一覧をユーザに提示することを特徴とするＡＶシステム。
【請求項７】
請求項５記載のＡＶシステムであって、
前記ファイル情報提示部が提示した一覧上のファイルの情報に対する操作に応じて、操作されたファイルの情報に対応するファイルの操作を受け付けるファイル操作受付部を有することを特徴とするＡＶシステム。
【請求項８】
請求項４記載のＡＶシステムであって、
前記コンテンツの種別は、オーディオとピクチャとを含み、
前記再生対象ボリューム設定部は、オーディオであるコンテンツの種別に対して設定した仮想記録媒体が前記再生対象ボリュームとして設定されているときに、前記ファイル再生処理部の前記再生対象ボリュームのファイルの再生がユーザによって停止された場合に、前記再生対象ボリュームを、ピクチャであるコンテンツの種別に対して設定した仮想記録媒体に切り替えることを特徴とするＡＶシステム。
【請求項９】
請求項７記載のＡＶシステムであって、
前記再生対象記録媒体はＡＶシステムにマウントされたリムーバブルな記録媒体であって、
前記再生対象ボリューム設定部は、前記再生対象記録媒体となる記録媒体が当該ＡＶシステムにマウントされたときに、オーディオであるコンテンツの種別に対して設定した仮想記録媒体を前記再生対象ボリュームとして設定することを特徴とするＡＶシステム。
【請求項１０】
請求項４記載のＡＶシステムであって、
前記コンテンツの種別は、オーディオとビデオとを含み、
前記再生対象ボリューム設定部は、オーディオであるコンテンツの種別に対して設定した仮想記録媒体が前記再生対象ボリュームとして設定されているときに、前記ファイル再生処理部の前記再生対象ボリュームのファイルの再生がユーザによって停止された場合に、前記再生対象ボリュームを、ビデオであるコンテンツの種別に対して設定した仮想記録媒体に切り替えることを特徴とするＡＶシステム。
【請求項１１】
請求項１０記載のＡＶシステムであって、
前記再生対象記録媒体はＡＶシステムにマウントされたリムーバブルな記録媒体であって、
前記再生対象ボリューム設定部は、前記再生対象記録媒体となる記録媒体が当該ＡＶシステムにマウントされたときに、オーディオであるコンテンツの種別に対して設定した仮想記録媒体を前記再生対象ボリュームとして設定することを特徴とするＡＶシステム。
【請求項１２】
請求項４記載のＡＶシステムであって、
前記コンテンツの種別は、オーディオとピクチャとビデオとのうちの少なくとも二つの種別を含むことを特徴とするＡＶシステム。
【請求項１３】
請求項４記載のＡＶシステムであって、
前記再生対象記録媒体となる記録媒体は、ＣＤ-Ｒ、ＣＤ−ＲＷ，ＣＤ−ＲＯＭ、ＤＶＤ−Ｒ、ＤＶＤ−ＲＷ、ＤＶＤ−ＲＯＭのいずれかであることを特徴とするＡＶシステム。
【請求項１４】
請求項４記載のＡＶシステムであって、
当該ＡＶシステムは、自動車に搭載される車載のＡＶシステムであることを特徴とするＡＶシステム。
【請求項１５】
ＡＶシステムにおいて記録媒体に記録されたファイルを再生する記録媒体再生方法であって、
コンテンツの種別毎の区分に、前記記録媒体に記録されている複数のファイルを、当該ファイルにデータが格納されているコンテンツの種別に応じて分類するステップと、
前記区分のいずれかを対象区分として設定するステップと、
前記対象区分とされた分類について、当該区分に属するファイルを再生するステップと、
所定の契機で、前記対象区分として設定する区分を切り替えるステップとを有することを特徴とする記録媒体再生方法。
【請求項１６】
請求項１５記載の記録媒体再生方法であって、
前記対象区分とされた区分について、当該区分に属するファイルの情報の一覧をユーザに提示するステップと、
前記提示した一覧上のファイル情報に対する操作に応じて、操作されたファイル情報に対応するファイルの操作を受け付けるステップを有することを特徴とする記録媒体再生方法。
【請求項１７】
請求項１４記載の記録媒体再生方法であって、
前記区分のそれぞれを、各々単一の記録ボリュームとして表現した形態で、区分に属するファイルの情報の一覧をユーザに提示するステップと、
提示した一覧上のファイル情報に対する操作に応じて、操作されたファイル情報に対応するファイルの操作を受け付けるステップとを有することを特徴とする記録媒体再生方法。
【請求項１８】
コンピュータによって読み取られ実行されるコンピュータプログラムであって、
前記コンピュータに、
コンテンツの種別毎の区分に、前記記録媒体に記録されている複数のファイルを、当該ファイルにデータが格納されているコンテンツの種別に応じて分類するステップと、
前記区分のいずれかを対象区分として設定するステップと、
前記対象区分とされた分類について、当該区分に属するファイルを再生するステップと、
所定の契機で、前記対象区分として設定する区分を切り替えるステップとを実行させることを特徴とするコンピュータプログラム。
【請求項１９】
請求項１８記載のコンピュータプログラムであって、
前記コンピュータに、
前記対象区分とされた区分について、当該区分に属するファイルの情報の一覧をユーザに提示するステップと、
前記提示した一覧上のファイル情報に対する操作に応じて、操作されたファイル情報に対応するファイルの操作を受け付けるステップとを実行させることを特徴とするコンピュータプログラム。
【請求項２０】
請求項１８記載のコンピュータプログラムであって、
前記コンピュータに、
前記区分のそれぞれを、各々単一の記録ボリュームとして表現した形態で、区分に属するファイルの情報の一覧をユーザに提示するステップと、
提示した一覧上のファイル情報に対する操作に応じて、操作されたファイル情報に対応するファイルの操作を受け付けるステップとを実行させることを特徴とするコンピュータプログラム。
【発明の詳細な説明】
【技術分野】
【０００１】
本発明は、オーディオと画像などの異なるコンテンツのファイルが記録された記録媒体を再生するＡＶシステムに関するものである。
【背景技術】
【０００２】
ＡＶシステムとしては、半導体メモリやCD-RやDVD-Rなどの可書き込み型の記録媒体にユーザがファイルとして記録した音声や画像を再生するＡＶシステムが知られている（たとえば、特許文献１）。
また、ＡＶシステムにおけるファイルの自動再生の技術としては、記録媒体に記録されたファイルを、記録順やファイル名順などの予め設定された順序に従って逐次再生する技術が知られている。
【特許文献１】特開2002-318598号公報
【発明の開示】
【発明が解決しようとする課題】
【０００３】
さて、ＡＶシステムにおいて、たとえば、オーディオファイルとピクチャ（静止画）ファイルとが混在して記録された記録媒体を再生する場合に、前記自動再生の技術を適用してファイルの再生を行うと、オーディオの再生とピクチャの再生が、所定の順序で逐次的に行われることになる。
【０００４】
しかし、このようにすると再生時間の概念のないピクチャについては自動的に再生を完了させることができないために、ピクチャの再生完了及び次のファイルの再生開始に当たっては、ユーザの操作の介在が必要となる。したがって、たとえば、ファイルの再生順がピクチャファイルとオーディオファイルが交互に再生される順序となった場合などには、一つ一つのオーディオファイルの再生を開始させる度に、一々、ユーザ操作を行わなければならない煩雑さが生じる。また、ピクチャの表示を行えない状態、たとえば、表示装置をカーナビゲーションなどの他の用途に使用している状態において、記録媒体の再生を行う場合には、オーディオファイルの再生からピクチャファイルの再生の切替えに伴い、突然、ユーザに対するＡＶシステムからの出力が途切れる状態となり、ユーザを困惑させてしまうことになる。
【０００５】
一方で、このような音声や画像などが混在して記録された記録媒体の再生に際して、再生すべきファイルの指定をユーザから受け付けることを考えた場合に、各ファイルのファイル名などを記録媒体に記録されたディレクトリ構造に従ってユーザに提示したのでは、代えって、ユーザのファイル選択が困難となる場合がある。たとえば、ユーザが、ファイルをオーディオ、ピクチャ、ビデオといったコンテンツの種別に応じて異なるディレクトリに格納せず、同じディレクトリに異なるコンテンツのファイルを混在させて格納している場合などである。
【０００６】
すなわち、従来のＡＶシステムでは、記録媒体に異なる種別のコンテンツのファイルが記録されている場合、その記録媒体の再生に際し、ユーザの種々の不便が生じていた。
そこで、本発明は、異なる種別のコンテンツのファイルが記録された記録媒体を再生する際の、ユーザの利便性を向上することを課題とする。
【課題を解決するための手段】
【０００７】
前記課題達成のために、本発明は、記録媒体に記録されたファイルを再生するＡＶシステムに、コンテンツの種別毎の区分に、前記記録媒体に記録されている複数のファイルを、当該ファイルにデータが格納されているコンテンツの種別に応じて分類するファイル分類部と、前記区分のいずれかを対象区分として選択的に設定する対象区分設定部と、前記対象区分とされた分類について、当該区分に属するファイルを再生する再生処理を行うファイル再生処理部とを備えたものである。
【０００８】
このようなＡＶシステムによれば、記録媒体に記録された各ファイルの再生を、オーディオ、ピクチャ、ビデオなどのコンテンツの種別毎に、それぞれ他の種別のコンテンツのファイルの再生とは独立的にそれぞれ行うことができる。
したがって、たとえば、ファイルの再生がピクチャ（静止画）ファイルとオーディオファイルが混在した順序で再生されてしまうようなことを排除しつつ、ユーザの介在無しにオーディオファイルを連続的に自動再生するようなことが可能となる。
ここで、このようなＡＶシステムには、前記対象区分とされた区分について、当該区分に属するファイルの情報の一覧をユーザに提示するファイル情報提示部を設けることが好ましい。また、この場合には、さらに、前記ファイル情報提示部が提示した一覧上のファイル情報に対する操作に応じて、操作されたファイル情報に対応するファイルの操作を受け付けるファイル操作受付部を設けるようにするのが良い。
【０００９】
このように、ユーザに対して、オーディオ、ピクチャ、ビデオなどのコンテンツの種別毎にファイルを分類した区分毎に再生対象記録媒体に記録されたファイルの情報を提示したり、当該提示上で再生ファイルの選択などのファイル操作を受け付けることにより、ユーザのコンテンツの種別に応じたファイルの取り扱いを容易化することができる。たとえば、ユーザが、ファイルをコンテンツ種別に応じて異なるディレクトリに格納せずに、同じディレクトリに異なるコンテンツのファイルを混在させて格納しているような場合でも、ユーザは、容易に、特定のコンテンツ種別の特定のファイルを見つけ出したり、特定のコンテンツの種別のファイルのみを対象としてその再生などのファイル操作を行ったりすることができる。
【００１０】
ここで、また、本発明は、前記課題達成のために、再生対象記録媒体に記録されたファイルを再生するＡＶシステムに、再生対象ボリュームに格納されているファイルを再生する再生処理を行うファイル再生処理部と、コンテンツの種別毎に設けた複数の仮想的な記録媒体である仮想記録媒体であって、各々、前記再生対象記録媒体に記録されている各ファイルのうちの、当該仮想記録媒体に対応する種別のコンテンツのデータを格納したファイルを格納した仮想記録媒体を設定する仮想記録媒体生成部と、前記仮想記録媒体のいずれかを前記再生対象ボリュームとして選択的に設定する再生対象ボリューム設定部とを備えたものである。
【００１１】
このようなＡＶシステムによれば、記録媒体に記録された各ファイルの再生を、オーディオ、ピクチャ、ビデオなどのコンテンツの種別毎に、それぞれ他の種別のコンテンツのファイルの再生とは独立的にそれぞれ行うことができる。
【００１２】
ここで、このような以上の仮想記憶媒体を設定するＡＶシステムには、前記各仮想記録媒体毎に、当該仮想記録媒体に格納されているファイルの情報の一覧をユーザに提示するファイル情報提示部を設けることが好ましい。より具体的には、前記ファイル情報提示部では、各仮想記録媒体を各々単一の記録ボリュームとして表現した形態で、各仮想記録媒体に格納されているファイルの情報の一覧をユーザに提示するようにするのがよい。また、このようなファイル情報提示部を備えた場合には、ＡＶシステムには、前記ファイル情報提示部が提示した一覧上のファイル情報に対する操作に応じて、操作されたファイル情報に対応するファイルの操作を受け付けるファイル操作受付部も設けるようにするのがよい。
【００１３】
このようにすることにより、格納しているコンテンツの種別が異なるファイルが複数記録されている単一の記録媒体を再生する際に、ユーザに対して、あたかも、それぞれ特定の種別のコンテンツのファイルのみを格納した複数の記録媒体を再生しているかのようなユーザインタフェースを提供することができる。したがって、ユーザのコンテンツの種別に応じたファイルの取り扱いを容易化することができる。
【００１４】
また、以上の仮想記憶媒体を設定するＡＶシステムは、前記コンテンツの種別が、オーディオとピクチャとを含むものとし、前記再生対象ボリューム設定部において、オーディオであるコンテンツの種別に対して設定した仮想記録媒体が前記再生対象ボリュームとして設定されているときに、前記ファイル再生処理部の前記再生対象ボリュームのファイルの再生がユーザによって停止された場合に、前記再生対象ボリュームを、ピクチャであるコンテンツの種別に対して設定した仮想記録媒体に切り替えるようにしてもよい。また、この場合において、記再生対象記録媒体をＡＶシステムにマウントされたリムーバブルな記録媒体とするときには、前記再生対象ボリューム設定部は、前記再生対象記録媒体となる記録媒体が当該ＡＶシステムにマウントされたときに、オーディオであるコンテンツの種別に対して設定した仮想記録媒体を前記再生対象ボリュームとして設定することも好ましい。
【００１５】
また、以上の仮想記憶媒体を設定するＡＶシステムは、前記コンテンツの種別が、オーディオとビデオとを含むものとすると共に、前記再生対象ボリューム設定部において、オーディオであるコンテンツの種別に対して設定した仮想記録媒体が前記再生対象ボリュームとして設定されているときに、前記ファイル再生処理部の前記再生対象ボリュームのファイルの再生がユーザによって停止された場合に、前記再生対象ボリュームを、ビデオであるコンテンツの種別に対して設定した仮想記録媒体に切り替えるようにしてもよい。また、この場合において、前記再生対象記録媒体をＡＶシステムにマウントされたリムーバブルな記録媒体とする場合には、前記再生対象ボリューム設定部は、前記再生対象記録媒体となる記録媒体が当該ＡＶシステムにマウントされたときに、オーディオであるコンテンツの種別に対して設定した仮想記録媒体を前記再生対象ボリュームとして設定するようにすることも好ましい。
【００１６】
これらのようにすることにより、再生対象ボリュームとする仮想記録媒体の切替の少なくとも一部を自動化して、ユーザにとっての操作の煩雑さを低減することができる。
ところで、以上の各ＡＶシステムにおいて、前記コンテンツの種別が、オーディオとピクチャとビデオとのうちの少なくとも二つの種別を含むものであってよい。また、以上の各ＡＶシステムにおいて、前記再生対象記録媒体となる記録媒体は、ＣＤ-Ｒ、ＣＤ−ＲＷ，ＣＤ−ＲＯＭ、ＤＶＤ−Ｒ、ＤＶＤ−ＲＷ、ＤＶＤ−ＲＯＭのいずれかであってよい。また、以上の買うＡＶシステムは、自動車に搭載される車載のＡＶシステムであってよい。
【発明の効果】
【００１７】
以上のように、本発明によれば、異なる種別のコンテンツのファイルが記録された記録媒体を再生する際の、ユーザの利便性を向上することができる。
【発明を実施するための最良の形態】
【００１８】
以下、本発明の実施形態について、車載のＡＶシステムへの適用を例にとり説明する。
図１に、本実施形態に係るＡＶシステムの構成を示す。
図示するようにＡＶシステムは、ＡＶ処理装置１、表示装置２、表示装置２の表示面に重ねて設置したタッチパネルなどである入力装置３、スピーカやオーディオアンプ装置などのオーディオ出力装置４、ＴＶ放送やラジオ放送を受信するチューナ５、ＣＤやＤＶＤなどの記録ディスク６１用のドライブ装置であるＣＤ／ＤＶＤドライブ６とを有している。
【００１９】
そして、ＡＶ処理装置１は、ＣＰＵ１１、メモリ１２、表示装置２に接続する表示インタフェース１３、オーディオ出力装置４に接続するオーディオ出力インタフェース１４、チューナ５に接続するチューナインタフェース１５、ＣＤ／ＤＶＤドライブ６に接続するＣＤ／ＤＶＤドライブインタフェース１６、入力装置３に接続する入力インタフェース１７と、以上の各部を接続するバス２１とを備えている。ここで、表示インタフェース１３、オーディオ出力インタフェース１４、チューナインタフェース１５、ＣＤ／ＤＶＤドライブインタフェース１６、入力インタフェース１７は、各々接続する装置と、ＡＶ処理装置１との間との入出力を処理するものである。
【００２０】
次に、このようなＡＶ処理装置１の機能構成を図２に示す。
図示するように、ＡＶ処理装置１は、機能的には、オペレーティングシステム１０１と、オペレーティングシステム１０１上のアプリケーションである再生制御部１０２、オーディオデータをデコードするオーディオデコーダ１０３、ピクチャデータをデコードするピクチャデコーダ１０４、ビデオデータをデコードするビデオデコーダ１０５、ＤＶＤ-Ｖｉｄｅｏデータの再生を行うＤＶＤ-Ｖｉｄｅｏデコーダ１０６とを有する。なお、これらのアプリケーションは、ＣＰＵ１１が所定のプログラムを実行することによりＡＶ処理装置１上にプロセスとして具現化される。
ただし、オーディオデコーダ１０３やピクチャデコーダ１０４やビデオデコーダ１０５やＤＶＤ-Ｖｉｄｅｏデコーダ１０６などは、ハードウエアとしてＡＶ処理装置１に備えるようにしてもよい。
【００２１】
このような構成において、再生制御部１０２は、入力装置３を介したユーザ操作等に応じて、出力ソースとしてチューナ５とＣＤ／ＤＶＤドライブ６のいずれかを選択する。
そして、出力ソースとしてチューナ５を選択した場合には、チューナ５から入力する音声のオーディオ出力装置４への出力や、チューナ５から入力する映像の表示装置２への出力を制御する。
また、出力ソースとして、ＣＤ／ＤＶＤドライブ６が選択された場合には、ＣＤ／ＤＶＤドライブ６にマウントされているＣＤ／ＤＶＤに記録されているオーディオデータやピクチャデータやビデオデータや、ＣＤ／ＤＶＤドライブ６にマウントされているＤＶＤに記録されているＤＶＤ-Ｖｉｄｅｏデータの再生を制御する。すなわち、ＣＤ／ＤＶＤに記録されているオーディオデータのオーディオデコーダ１０３におけるデコードとオーディオ出力装置４への出力の制御や、ＣＤ／ＤＶＤに記録されているピクチャデータのピクチャデコーダ１０４におけるデコードと表示装置２への出力の制御や、ＣＤ／ＤＶＤに記録されているビデオデータのビデオデコーダ１０５におけるデコードとオーディオ出力装置４及び表示装置２への出力の制御や、ＤＶＤに記録されているＤＶＤ-ＶｉｄｅｏデータのＤＶＤ-Ｖｉｄｅｏデコーダ１０６によるデコードとオーディオ出力装置４及び表示装置２への出力の制御などを行う。ここで、ビデオは、一般に動画と動画に同期して再生されるべき音声とを含むコンテンツを指す。また、ピクチャは静止画像を指す。
【００２２】
さて、本ＡＶシステムは、ＣＤ-ＤＡ、ＣＤ-ＲＯＭ、ＣＤ-Ｒ、ＣＤ-ＲＷ、ＤＶＤ-ＲＯＭ、ＤＶＤ-Ｒ、ＤＶＤ-ＲＷなどの記録ディスク６１に対応する。すなわち、ユーザは、これらの記録ディスク６１を、ＣＤ／ＤＶＤドライブ６にロードさせることにより、その記録ディスクに記憶されているオーディオやピクチャやビデオを再生することができる。
【００２３】
そして、ＡＶシステムの再生制御部１０２は、ＣＤ／ＤＶＤドライブ６に記録ディスクをロードすると、ロードした記録ディスク６１の種別や記録されているアプリケーションデータの種別を判別し、判別した記録ディスクの種別に応じた再生処理を行う。
すなわち、ロードした記録ディスクがＣＤ-ＤＡである場合には、オーディオデコーダ１０３を用いながら、ＣＤ−ＤＡに記録されている各オーディオトラックのオーディオデータを順次再生したり、ユーザ操作に応じてオーディオトラックのオーディオデータ再生するＣＤ−ＤＡ再生処理を行う。
【００２４】
また、ロードした記録ディスクが、アプリケーションデータとしてＤＶＤ-Ｖｉｄｅｏデータを記録したＤＶＤ-ＲＯＭ、ＤＶＤ-Ｒ、ＤＶＤ-ＲＷである場合には、ＤＶＤ-Ｖｉｄｅｏデコーダ１０６を用いながら、ＤＶＤ-Ｖｉｄｅｏデータに含まれるナビゲーションデータとユーザ操作とに従って、ＤＶＤ-Ｖｉｄｅｏデータに含まれるプレゼンテーションデータを再生するＤＶＤ-Ｖｉｄｅｏ再生処理を行う。
【００２５】
一方、ロードした記録ディスク６１が、アプリケーションデータとしてＤＶＤ-Ｖｉｄｅｏデータを記録していない記録ディスク６１であって、データファイルを記録した記録ディスク６１である場合には、再生制御部１０２は、以下に示すデータディスク再生処理を行う。
なお、ロードした記録ディスク６１が、オーディオトラックを記録したＣＤ−ＤＡセッションと、データファイルを記録したＣＤ−ＲＯＭセッションなどのデータセッションとが形成されたマルチセッションのＣＤである場合には、データセッションを記録ディスクと見なして、この記録ディスクに対してデータディスク再生処理を行うようにする。ただし、ＣＤ−ＤＡセッションを対象としてＣＤ−ＤＡ再生処理を行うようにしてもよい。
【００２６】
ここで、このデータディスク再生処理において再生の対象とする記録ディスク６１には、図２に示すようにオーディオファイルやピクチャファイルやビデオファイルが任意のディレクトリに含まれる形態で記録されている。また、記録ディスク６１には、このディレクトリを、ルートディレクトリをルートとしてツリー状に階層化して設けることができる。
【００２７】
また、記録ディスク６１には、このようなディレクトリの階層構造や各ディレクトリ名や各ファイルの記録ディレクトリやファイル名を記述したファイルシステム管理情報が記録されている。たとえば、記録ディスク６１がIS-O9660のファイルシステムに従ってアクセス可能な形態でファイルを記録するＣＤ／ＤＶＤであれば、ボリューム記述子とパステーブルとディレクトリレコードが、このファイルシステム管理情報に相当することになる。また、ISO-13346 に基づくＵＤＦ、FAT32 、HFS、HFS+など、他のファイルシステムにおいても、同様に、ディレクトリの階層構造や各ディレクトリ名や各ファイルの記録ディレクトリやファイル名を記述したファイルシステム管理情報が記録されている。
【００２８】
図３に、データディスク再生処理の手順を示す。
図示するように、この処理では、まず、再生制御部１０２は、オーディオボリューム、ピクチャボリューム、ビデオボリュームの３つの仮想ボリュームを生成する（ステップ３０２）。そして、次に、記録ディスク６１よりファイルシステム情報を読み出してディレクトリ構造とディレクトリ名を取得し（ステップ３０４）、各ディレクトリに対応する仮想フォルダを、オーディオボリューム、ピクチャボリューム、ビデオボリュームの３つの仮想ボリューム内に、それぞれ作成する（ステップ３０６）。ここで、作成する仮想フォルダのフォルダ名としては、対応するディレクトリのディレクトリ名をそのまま用いる。ただし、ルートディレクトリに対応する仮想フォルダのフォルダ名は、予め定めたフォルダ名、たとえば「ルート」を用いる。
【００２９】
そして、各ディレクトリに格納されている各ファイルのファイル情報を取得する（ステップ３０８）。ここで取得するファイル情報は、そのファイルのファイル名と、そのファイルがオーディオファイルかピクチャファイルかビデオファイルかの種別、すなわち、ファイルに格納されているコンテンツの種別を表す情報を含む。ただし、ファイルの種別を表す情報としては、ファイル名に含まれる拡張子を用いるようにしてもよい。すなわち、たとえば、mp3、aac、wmaなどの拡張子がついたファイル名を持つファイルはオーディオファイルと判定し、ファイルとjpg、jpeg、gifなどの拡張子がついたファイル名を持つファイルはピクチャファイルと判定し、mpg、mpeg、mov、wmv、aviなどの拡張子がついたファイル名を持つファイルはビデオファイルと判定するようにしてもよい。また、実際にそのファイルにアクセスして、そのファイルの内容を解析して、そのファイルのコンテンツの種別を判別して、ファイルの種別を表す情報を取得するようにしてもよい。
【００３０】
そして、取得した各ファイルのファイル情報を、そのファイルのコンテンツ種別に対応する仮想ボリュームの、そのファイルが直接他のディレクトリを介さずに格納されているディレクトリに対応する仮想フォルダに格納する（ステップ３１０）なお、オーディオファイルにもピクチャファイルにもビデオファイルにも分類できないファイルや、ＡＶシステムがデコードできないフォーマットのファイルについては、これを無視する。
【００３１】
そして、全てのファイルについてファイル情報の取得と仮想フォルダへの格納が完了したならば、ファイル情報が一つも格納されていない仮想フォルダと、ファイル情報が一つも格納されていない仮想ボリュームを削除する（ステップ３１２）。
【００３２】
そして、記録ディスク６１に少なくとも一つのオーディオファイルが記録されていたかどうかを判定し（ステップ３１４）、記録されていればオーディオ再生モードを設定し（ステップ３１６）、ファイル再生処理を起動する（ステップ３１８）。そして、記録ディスク６１のアンマウントを待ち（ステップ３２０）、記録ディスク６１がアンマウントされたならば、仮想ボリュームの全てを消去した上で（ステップ３２２）、処理を終了する。
【００３３】
一方、記録ディスク６１に一つもオーディオファイルが記録されていなかった場合には、記録ディスク６１に少なくとも一つのピクチャファイルが記録されていたかどうかを判定し（ステップ３２４）、記録されていればピクチャ再生モードを設定し（ステップ３２６）、ファイル再生処理を起動する（ステップ３１８）。そして、記録ディスク６１のアンマウントを待ち（ステップ３２０）、記録ディスク６１がアンマウントされたならば、仮想ボリュームの全てを消去した上で（ステップ３２２）、処理を終了する。
【００３４】
また、記録ディスク６１にオーディオファイルもピクチャファイルも記録されていない場合には、記録ディスク６１に少なくとも一つのビデオファイルが記録されていたかどうかを調べ（ステップ３２８）、記録されていればビデオ再生モードを設定し（ステップ３３０）、ファイル再生処理を起動する（ステップ３１８）。そして、記録ディスク６１のアンマウントを待ち（ステップ３２０）、記録ディスク６１がアンマウントされたならば、仮想ボリュームの全てを消去した上で（ステップ３２２）、処理を終了する。
【００３５】
一方、記録ディスク６１にオーディオファイルもピクチャファイルもビデオファイルも記録されていない場合には、エラーを表示装置２に表示し（ステップ３３２）、記録ディスク６１のアンマウントを待って（ステップ３３４）、処理を終了する。
以上の、ディスク再生処理の結果、図４に示すように、記録ディスク６１にオーディオファイルが記録されている場合には仮想ボリュームとしてオーディオボリュームが生成され、記録ディスク６１に記録されているオーディオファイルの全てが、各オーディオファイルのファイル情報によってオーディオボリュームに関連付けられる。また、記録ディスク６１にピクチャファイルが記録されている場合には仮想ボリュームとしてピクチャボリュームが生成され、記録ディスク６１に記録されているピクチャファイルの全てが、各ピクチャファイルのファイル情報によってピクチャボリュームに関連付けられる。そして、記録ディスク６１にビデオファイルが記録されている場合には仮想ボリュームとしてビデオボリュームが生成され、記録ディスク６１に記録されているビデオファイルの全てが、各ビデオファイルのファイル情報によってビデオボリュームに関連付けられる。
【００３６】
また、オーディオファイルを直接または他のディレクトリを介して格納しているディレクトリに対しては、対応する仮想フォルダがオーディオボリュームに設けられる。そして、各オーディオファイルのファイル情報が、そのオーディオファイルを直接格納していたディレクトリに対応する仮想フォルダに格納されることになる。また、ピクチャファイルを直接または他のディレクトリを介して格納しているディレクトリに対しては、対応する仮想フォルダがピクチャボリュームに設けられる。そして、各ピクチャファイルのファイル情報が、そのピクチャファイルを直接格納していたディレクトリに対応する仮想フォルダに格納されることになる。また、ビデオファイルを直接または他のディレクトリを介して格納しているディレクトリに対しては、対応する仮想フォルダがビデオボリュームに設けられる。そして、各ビデオファイルのファイル情報が、そのビデオファイルを直接格納していたディレクトリに対応する仮想フォルダに格納されることになる。
【００３７】
すなわち、以上の処理によれば、論理的には、記録ディスク６１という一つのボリュームが、オーディオファイルのみを格納したオーディオボリュームと、ピクチャファイルのみを格納したピクチャボリュームと、ビデオファイルのみを格納したビデオボリュームの三つの仮想ボリュームに、ファイルとディレクトリとの階層構造を、ファイル情報と仮想フォルダの階層構造として維持したまま分割されたことになる。
【００３８】
さて、次に、データディスク再生処理のステップ３１８で起動したファイル再生処理について説明する。
図５に、このファイル再生処理の手順を示す。
図示するように、この処理では、まず、現在設定されているモードが、オーディオ再生モードであるか、ピクチャ再生モードである、ビデオ再生モードであるかどうかを調べる（ステップ５０２）。
そして、オーディオ再生モードであれば、仮想ボリュームであるオーディオボリュームを対象としてオーディオボリューム内の各ファイル情報が示すオーディオファイルの再生処理を行う。
すなわち、まず、オーディオ再生ウインドウを表示装置２に表示する（ステップ５０４）。
図６ａに示すように、オーディオ再生ウインドウには、メニューボタン６０１と、オーディオボリュームの仮想フォルダのフォルダ名の一覧を示すフォルダ表示エリア６１１と、いずれかの仮想フォルダにファイル情報が格納されているオーディオファイルのファイル名の一覧を示すファイル表示エリア６１２と、オーディオコントロールエリア６１３とが設けられている。ただし、ファイル表示エリア６１２には、ファイル名以外の情報、たとえば、オーディオファイル内のタグ情報などより取得したタイトルやアルバムやアーティストなどを表示するようにしてもよい。
そして、オーディオファイルの再生中、オーディオコントロールエリア６１３には、ユーザのボリューム変更操作を受け付けるボリュームボタン６１４と、オーディオファイルの順次再生を行うスキャン再生／オーディオファイルの繰り返し再生を行うリピート再生／オーディオファイルのランダム再生を行うミックス再生などの再生順モードの設定を受け付けるための再生順モードボタン６１５と、再生停止の指示をユーザから受け付けるための再生停止ボタン６１６と、再生の一時停止の指示をユーザから受け付けるための再生一時停止ボタン６１７と、再生の早送りの指示をユーザから受け付けるための再生早送ボタン６１８と、再生の早戻しの指示をユーザから受け付けるための再生早戻ボタン６１９と、再生するオーディオファイルの次オーディオファイルへの変更の指示をユーザから受け付けるための再生スキップボタン６２０と、再生するオーディオファイルの前オーディオファイルへの変更の指示をユーザから受け付けるための再生後方スキップボタン６２１などが設けられている。また、オーディオファイルの再生停止／一時停止中は、オーディオコントロールエリア６１３には、再生一時停止ボタン６１７に代えて、再生の開始の指示をユーザから受け付けるための再生開始ボタンが設けられる。
【００３９】
そして、オーディオファイルの再生開始時には、オーディオファイルのファイル情報を含む仮想フォルダが選択状態に設定されて、フォルダ表示エリア６１１において、そのフォルダ名が強調表示され、選択状態に設定された仮想フォルダに含まれるファイル情報に対応する各オーディオファイルのファイル名の一覧が、ファイル表示エリア６１２に、再生中のオーディオファイルのファイル名を強調した形態で表示される。
一方、ファルダ表示エリアで、いずれかのフォルダ名がユーザによって選択されたならば、対応する仮想フォルダが選択状態に設定されて、そのフォルダ名が強調表示され、ファイル表示エリア６１２の表示は、選択状態に設定された仮想フォルダに含まれるファイル情報に対応する各オーディオファイルのファイル名の一覧に切り替わる。
【００４０】
さて、図５のファイル再生処理に戻り、このようなオーディオ再生ウインドウを表示したならば（ステップ５０４）、次に、カレントオーディオファイルより現在の再生順モードに従った再生シーケンスでオーディオファイルの再生を開始し、以降、再生中のオーディオファイルをカレントオーディオファイルとする（ステップ５０６）。ここで、カレントオーディオファイルの初期値は、たとえば、オーディオボリュームの先頭仮想フォルダの先頭のファイル情報が示すオーディオファイルである。
【００４１】
ここで、各仮想フォルダは、予め定めたルールに従って順番づける。このルールとしては、たとえば、フォルダ名でソートした場合の順番に従って、各仮想フォルダを順番づけるルールであっても良いし、仮想フォルダの階層構造に従って仮想フォルダを順番づけるようなルールであってもよい。また、各仮想フォルダ内の各ファイル情報に対応する各オーディオファイルの仮想フォルダ内の順番も、予め定めたルールに従って定める。このルールとしては、たとえば、ファイル名でソートした場合の順番に従って、各オーディオファイルを順番づけるルールなどであって良い。
【００４２】
また、現在の再生順モードに従った再生シーケンスとは、たとえば、以下のようなシーケンスである。すなわち、再生順モードとして、スキャン再生が設定されている場合には、仮想フォルダの順番に従って仮想フォルダを選択しながら、選択した仮想フォルダに格納されているファイル情報が示すオーディオファイルを仮想フォルダ内のオーディオファイルの順番に従って順次再生する。また、再生順モードとして、リピート再生が設定されている場合には、再生中の仮想フォルダに格納されているファイル情報が示すオーディオファイルを仮想フォルダ内のオーディオファイルの順番に従って順次再生する処理を繰り返し行う。そして、再生順モードとしてミックス再生が設定されている場合には、ランダムに仮想フォルダを選択しながら、選択した仮想フォルダに格納されているファイル情報が示すオーディオファイルをランダムな順番に順次再生する。なお、再生順モードの初期値は、たとえばスキャン再生とし、以降、ユーザの再生順モードボタン６１５の操作に応じて変更する。
【００４３】
そして、再生を開始したならば、ユーザ操作の発生を監視し（ステップ５０８）、ユーザ操作が発生したならば、発生したユーザ操作がメニューボタン６０１の操作かどうかを調べ（ステップ５１０）、メニューボタン操作であればメニュー処理を行い（ステップ５２０）、ステップ５０２に戻る。
【００４４】
このメニュー処理では、たとえば、再生モードの切替メニューの表示と、再生モードの切替操作の受付と、再生モードの切替操作に応じた再生モードの切替などを行う。なお、このメニュー処理では、再生モードのオーディオ再生モードから他のモードへの切替を行った場合には、この切替と共にオーディオ再生の停止も行う。また、このメニュー処理では、再生モードのビデオ再生モードから他のモードへの切替を行った場合には、この切替と共にビデオ再生の停止も行う。
【００４５】
一方、発生したユーザ操作が、メニューボタン６０１の操作でなければ、発生したユーザ操作に応じた処理を行う（ステップ５１２）。すなわち、ユーザ操作が、オーディオコントロールエリア６１３の、ボリュームボタン６１４や、再生順モードボタン６１５や、再生停止ボタン６１６や、再生一時停止ボタン６１７や、再生早送ボタン６１８や、再生早戻ボタン６１９や、再生スキップボタン６２０や、再生後方スキップボタン６２１や、再生開始ボタンの操作であれば、それぞれのボタン６１９に対応する処理（ボリューム変更処理や再生順モード設定処理や再生停止処理や再生一時停止処理や再生早送り処理や再生早戻し処理や再生スキップ処理や再生後方スキップ処理や再生開始／再開処理）を行う。一方、ユーザ操作が、フォルダ表示エリア６１１における、いずれかのフォルダ名の選択操作（たとえば、フォルダ名のクリック操作）であれば、対応する仮想フォルダを選択状態に設定し、フォルダ表示エリア６１１において、そのフォルダ名を強調表示し、前述のようにファイル表示エリア６１２の表示を、選択状態に設定された仮想フォルダに含まれるファイル情報に対応する各オーディオファイルのファイル名の一覧に変更する処理を行う。
【００４６】
また、ユーザ操作が、フォルダ表示エリア６１１におけるいずれかのフォルダ名の選択及び再生開始操作（たとえば、フォルダ名のダブルクリック操作）であれば、選択されたフォルダ名の仮想フォルダに格納されたファイル情報に対応するオーディオファイルから再生順モードに従って一つのオーディオファイルを選定してカレントファイルに設定し、カレントオーディオファイルより現在の再生順モードに従った再生シーケンスでのオーディオファイルの再生を開始する。
【００４７】
また、ユーザ操作が、ファイル表示エリア６１２におけるいずれかのファイル名の選択及び再生開始操作（たとえば、ファイル名のダブルクリック操作）であれば、選択されたファイル名に対応するオーディオファイルをカレントファイルに設定し、カレントオーディオファイルより現在の再生順モードに従った再生シーケンスでのオーディオファイルの再生を開始する。
【００４８】
そして、次に、発生したユーザ操作が再生停止ボタン６１６の操作であったかどうかを判定し（ステップ５１４）、再生停止ボタン６１６の操作でなければ、ステップ５０８に戻って次のユーザ操作を待つ。一方、発生したユーザ操作が再生停止ボタン６１６の操作であれば、ピクチャボリュームが存在するかどうかを調べ（ステップ５１６）、存在する場合には、ピクチャ再生モードを設定し（ステップ５１８）、ステップ５０２に進む。一方、ピクチャボリュームが存在しない場合には、ステップ５０８に戻って次のユーザ操作を待つ。
【００４９】
次に、ステップ５０２で再生モードがピクチャ再生モードと判定された場合には、まず、図６ｂに示すピクチャ再生ウインドウを表示する（ステップ５２２）。
図示するように、ピクチャ再生ウインドウには、メニューボタン６０１と、ピクチャファイルのファイル名の一覧を示すファイル表示エリア６３１と、再生したピクチャを表示するピクチャエリア６３２と、スライドボタン６３３と、フルスクリーンボタン６３４と、クローズボタン６３５とが設けられている。ただし、ファイル表示エリア６３１は、ファイル表示エリア６３１が表示されているときに表示されるフォルダボタン６３６のユーザ操作に応じて、図６ｃに示すように、ピクチャボリュームの仮想フォルダのフォルダ名の一覧を示すフォルダ表示エリア６３７に切り替えられる。また、逆に、フォルダ表示エリア６３７は、フォルダ表示エリア６３７が表示されているときに表示されるファイルボタン６３８のユーザ操作に応じて、ファイル表示エリア６３１に切替えられる。
【００５０】
図５に戻り、ピクチャ再生ウインドウを表示したならば、カレントピクチャファイルを再生し、ピクチャエリア６３２に表示する（ステップ５２４）。また、ファイル表示エリア６３１に、カレントピクチャファイルに対応するファイル情報が格納された仮想フォルダ内の、各ファイル情報に対応するピクチャファイルのファイル名の一覧を、表示中のピクチャファイルのファイル名を強調した形態で表示する。そして、カレントピクチャファイルに対応するファイル情報が格納された仮想フォルダを選択状態とする。
【００５１】
ここで、カレントピクチャファイルの初期値は、たとえば、ピクチャボリュームの先頭仮想フォルダの先頭のファイル情報が示すピクチャファイルである。ここで、ピクチャボリュームの各仮想フォルダの順番や、ピクチャボリュームの各仮想フォルダ内の各ファイル情報に対応する各ピクチャファイルの仮想フォルダ内の順番は、オーディオボリュームの場合と同様に、予め定めたルールに従って定める。
【００５２】
そして、ユーザ操作の発生を監視する（ステップ５２６）。
また、ユーザ操作が発生したならば、発生したユーザ操作がメニューボタン６０１の操作かどうかを調べ（ステップ５２８）、メニューボタン操作であれば前述したメニュー処理を行い（ステップ５２０）、ステップ５０２に戻る。
一方、発生したユーザ操作が、クローズボタン６３５の操作であれば（ステップ５３０）、オーディオボリュームが存在するかどうかを調べ（ステップ５３４）、存在する場合には、オーディオ再生モードを設定し（ステップ５３６）、ステップ５０２からの処理に戻る。一方、オーディオボリュームが存在しない場合には、前述したメニュー処理を行い（ステップ５２０）、ステップ５０２に戻る。
【００５３】
また、発生したユーザ操作が、その他の操作であれば、ユーザ操作に応じた処理を行い（ステップ５３２）、ステップ５２６に戻って次のユーザ操作を待つ。
さて、ステップ５３２で行うユーザ操作に応じた処理としては、前述したファイルボタン６３８、フォルダボタン６３６に応じたファイル表示エリア６３１とフォルダ表示エリア６３７の切替や、フォルダ表示エリア６３７におけるフォルダ名の選択の受け付けと、ファイル表示エリア６３１におけるファイル名の選択及び表示操作の受け付けが含まれる。
【００５４】
すなわち、再生制御部１０２は、フォルダ表示エリア６３７を表示している状態において選択状態とされている仮想フォルダのフォルダ名を強調表示する。また、フォルダ表示エリア６３７において、フォルダ名の選択操作（たとえば、フォルダ名のクリック操作）を受け付け、選択状態とする仮想フォルダを、選択されたフォルダ名に対応する仮想フォルダに切り替える。また、この状態でファイルボタン６３８が操作されたならば、フォルダ表示エリア６３７に代えてファイル表示エリア６３１を表示し、選択状態となっている仮想フォルダに格納されたファイル情報に対応するピクチャファイルの一覧を表示する。そして、ファイル表示エリア６３１で、ファイル名の選択及び表示操作（たとえば、ファイル名のダブルクリック操作）を受け付けたならば、選択されたファイル名のピクチャファイルをカレントファイルとして、ピクチャファイルに格納されたピクチャをピクチャエリア６３２に表示する。
【００５５】
また、ステップ５３２で行うユーザ操作に応じた処理としては、スライドボタン操作に応じたスライド表示処理も含まれる。すなわち、再生制御部１０２は、スライドボタン操作が発生したならば、その時点で選択状態にある仮想フォルダに格納されたファイル情報に対応する各ピクチャファイルに格納されたピクチャを順次カレントファイルに設定し、一定時間ずつ、ピクチャエリア６３２に表示する。
【００５６】
また、ステップ５３２で行うユーザ操作に応じた処理としては、この他、フルスクリーンボタン６３４の操作に応じた、ピクチャエリア６３２の表示装置２の全面への表示なども含まれる。なお、ピクチャエリア６３２の表示装置２の全面への表示から、図６ｂ，ｃに示したピクチャ再生ウインドウの表示への復帰は、ユーザの所定操作（たとえば、任意位置のクリック操作）に応じて行う。
【００５７】
次に、ステップ５０２において、再生モードがビデオ再生モードであると判定された場合には、まず、図６ｄに示すビデオ再生ウインドウを表示する（ステップ５３８）。
図示するように、ビデオ再生ウインドウには、メニューボタン６０１と、ビデオファイルのファイル名の一覧を示すファイル表示エリア６４１と、再生したビデオを表示するビデオエリア６４２と、フルスクリーンボタン６４３と、ビデオコントロールエリア６４４とが設けられている。ただし、ファイル表示エリア６４１は、前述したピクチャ再生ウインドウと同様に、ファイル表示エリア６４１が表示されているときに表示されるフォルダボタン６４５のユーザ操作に応じて、ビデオボリュームの仮想フォルダのフォルダ名の一覧を示すフォルダ表示エリアに切り替えられる。また、逆に、フォルダ表示エリアは、フォルダ表示エリアが表示されているときに表示されるファイルボタンのユーザ操作に応じて、ファイル表示エリア６４１に切替えられる。
【００５８】
また、ビデオコントロールエリア６４４には、ビデオ再生動作の指示を受け付けるための各種ボタンが設けられている。すなわち、ユーザのボリューム変更操作を受け付けるボリュームボタン６４６や、再生停止の指示をユーザから受け付けるための再生停止ボタン６４７や、再生の一時停止の指示をユーザから受け付けるための再生一時停止ボタン６４８や、再生の早送りの指示をユーザから受け付けるための再生早送ボタン６４９や、再生の早戻しの指示をユーザから受け付けるための再生早戻ボタン６５０や、再生するビデオファイルの次オビデオファイルへの変更の指示をユーザから受け付けるための再生スキップボタン６５１や、再生するビデオファイルの前ビデオファイルへの変更の指示をユーザから受け付けるための再生後方スキップボタン６５２などが設けられている。また、ビデオファイルの再生停止／一時停止中は、ビデオコントロールエリア６４４には、再生一時停止ボタン６４８に代えて、再生の開始の指示をユーザから受け付けるための再生開始ボタンが設けられる。
【００５９】
さて、図５に戻り、ビデオ再生ウインドウを表示したならば、カレントビデオファイルの再生を開始し、映像のビデオエリア６４２への表示と音声の出力を行う（ステップ５４０）。また、ファイル表示エリア６４１に、カレントビデオファイルに対応するファイル情報が格納された仮想フォルダ内の、各ファイル情報に対応するビデオファイルのファイル名の一覧を、再生中のビデオファイルのファイル名を強調した形態で表示する。そして、カレントビデオファイルに対応するファイル情報が格納された仮想フォルダを選択状態とする。
【００６０】
ここで、カレントビデオファイルの初期値は、たとえば、ビデオボリュームの先頭仮想フォルダの先頭のファイル情報が示すピクチャファイルである。また、ビデオボリュームの各仮想フォルダの順番や、ビデオボリュームの各仮想フォルダ内の各ファイル情報に対応する各ビデオファイルの仮想フォルダ内の順番は、オーディオボリュームの場合と同様に、予め定めたルールに従って定める。
【００６１】
そして、ユーザ操作の発生を監視する（ステップ５４２）。
また、ユーザ操作が発生したならば、発生したユーザ操作がメニューボタン６０１の操作かどうかを調べ（ステップ５４４）、メニューボタン操作であれば前述したメニュー処理を行い（ステップ５２０）、ステップ５０２に戻る。
また、発生したユーザ操作が、その他の操作であれば、ユーザ操作に応じた処理を行い（ステップ５４６）、ステップ５４２に戻って次のユーザ操作を待つ。
さて、ステップ５４６で行うユーザ操作に応じた処理としては、前述したファイルボタン、フォルダボタン６４５に応じたファイル表示エリア６４１とフォルダ表示エリアの切替や、フォルダ表示エリアにおけるフォルダ名の選択の受け付けと、ファイル表示エリア６４１におけるファイル名の選択及び再生開始操作の受け付けが含まれる。
【００６２】
すなわち、再生制御部１０２は、フォルダ表示エリアを表示している状態において選択状態とされている仮想フォルダのフォルダ名を強調表示する。また、フォルダ表示エリアにおいて、フォルダ名の選択操作（たとえば、フォルダ名のクリック操作）を受け付け、選択状態とする仮想フォルダを、選択されたフォルダ名に対応する仮想フォルダに切り替える。また、この状態でファイルボタンが操作されてならば、フォルダ表示エリアに代えてファイル表示エリア６４１を表示し、選択状態となっている仮想フォルダに格納されたファイル情報に対応するビデオファイルの一覧を表示する。そして、ファイル表示エリア６４１で、ファイル名の選択及び表示操作（たとえば、ファイル名のダブルクリック操作）を受け付けたならば、選択されたファイル名のビデオファイルをカレントファイルとして、ビデオファイルの再生を開始する。
【００６３】
また、ステップ５４６で行うユーザ操作に応じた処理としては、ビデオコントロールエリア６４４の、ボリュームボタン６４６や、再生停止ボタン６４７や、再生一時停止ボタン６４８や、再生早送ボタン６４９や、再生早戻ボタン６５０や、再生スキップボタン６５１や、再生後方スキップボタン６５２や、再生開始ボタンの操作に応じて行う、それぞれのボタンに対応する処理（ボリューム変更処理や再生停止処理や再生一時停止処理や再生早送り処理や再生早戻し処理や再生スキップ処理や再生後方スキップ処理や再生開始／再開処理）も含まれる。
【００６４】
また、ステップ５４６で行うユーザ操作に応じた処理としては、この他、フルスクリーンボタン６４３の操作に応じた、ビデオエリア６４２の表示装置２の全面への表示なども含まれる。なお、ビデオエリア６４２の表示装置２の全面への表示から、図６ｄに示したビデオ再生ウインドウの表示への復帰は、ユーザの所定操作（たとえば、任意位置のクリック操作）に応じて行う。
【００６５】
以上、ファイル再生処理について説明した。
以上のように本実施形態によれば、記録媒体に記録された各ファイルの再生を、オーディオ、ピクチャ、ビデオの種別毎に、それぞれ独立的にそれぞれ行うことができる。
したがって、たとえば、ファイルの再生順がピクチャファイルとオーディオファイルが混在した順序で再生されるようなことを排除して、ユーザの介在無しにオーディオファイルを連続的に自動再生するようなことが可能となる。
また、ユーザに対しては、オーディオ、ピクチャなどのコンテンツの種別毎にファイルを分配して生成したコンテンツの種別毎の仮想ボリュームとして、記録媒体のファイル情報を提示すると共に、当該提示上で再生ファイルの選択などのファイル操作を受け付ける。すなわち、格納しているコンテンツの種別が異なるファイルが複数記録されている単一の記録ディスク６１を再生する際に、ユーザに対して、それぞれ特定の種別のコンテンツのファイルのみを格納した複数の記録媒体を再生しているかのようなユーザインタフェースを提供することができる。したがって、ユーザのコンテンツの種別に応じたファイルの取り扱いを容易化することができる。すなわち、たとえば、ユーザが、ファイルをコンテンツ種別に応じて、異なるディレクトリに格納せず、同じディレクトリに異なるコンテンツのファイルを混在させて格納しているような場合でも、ユーザは、容易に、特定のコンテンツ種別のファイルを見つけ出したり、特定のコンテンツの種別のファイルのみを対象としてその再生を行ったりすることができるようになる。
【００６６】
ところで、以上では、オーディオファイルの再生が停止されたときに、再生モードをオーディオ再生モードからピクチャ再生モードに自動的に切り替えて、再生対象をオーディオボリュームからピクチャボリュームに変更するようにしたが、これは、オーディオファイルの再生が停止されたときに、再生モードをオーディオ再生モードからビデオ再生モードに自動的に切り替えて、再生対象をオーディオボリュームからビデオボリュームに変更するようにしてもよい。
【００６７】
また、オーディオ再生モードからピクチャ再生モードへの自動切替は行わずに、オーディオ再生モード、ピクチャ再生モード、ビデオ再生モードの切替は、たとえば、図７ａのオーディオ再生ウインドウ、図７ｂのピクチャ再生ウインドウ、図７ｃのビデオ再生ウインドウに示すように、各再生ウインドウに、他の再生モードへの切替指示を受け付けるための再生モード切替ボタン７０１、７０２、７０３を設け、この再生モード切替ボタンのユーザ操作に応じて行うようにしてもよい。
【００６８】
また、以上の実施形態では、ＣＤとＤＶＤを対象としてデータファイル再生処理やファイル再生処理を行う場合について示したが、本実施形態で示したこれらの処理は、ＣＤやＤＶＤ以外の任意の記録媒体たとえばＨＤＤやメモリカードなどに記録されたファイルを再生する場合にも同様に適用することができる。
【図面の簡単な説明】
【００６９】
【図１】本発明の実施形態に係るＡＶシステムの構成を示すブロック図である。
【図２】本発明の実施形態に係るＡＶシステムの機能構成を示すブロック図である。
【図３】本発明の実施形態に係るデータディスク再生処理を示すフローチャートである。
【図４】本発明の実施形態で用いる仮想ボリュームの生成例を示す図である。
【図５】本発明の実施形態に係るファイル再生処理のフローチャートを示す図である。
【図６】本発明の実施形態に係るＡＶシステムの表示画面例を示す図である。
【図７】本発明の実施形態に係るＡＶシステムの表示画面例を示す図である。
【符号の説明】
【００７０】
１…ＡＶ処理装置、２…表示装置、３…入力装置、４…オーディオ出力装置、５…チューナ、６…ＣＤ／ＤＶＤドライブ、１１…ＣＰＵ、１２…メモリ、１３…表示インタフェース、１４…オーディオ出力インタフェース、１５…チューナインタフェース、１７…入力インタフェース、２１…バス、１０１…オペレーティングシステム、１０２…再生制御部、１０３…オーディオデコーダ、１０４…ピクチャデコーダ、１０５…ビデオデコーダ、１０６…ＤＶＤ-Ｖｉｄｅｏデコーダ。
【図１】
2005346834.tif 000003
【図２】
2005346834.tif 000004
【図３】
2005346834.tif 000005
【図４】
2005346834.tif 000006
【図５】
2005346834.tif 000007
【図６】
2005346834.tif 000008
【図７】
2005346834.tif 000009